(57)【要約】装置は、オーディオファイル信号を受信する受信機と、オーディオファイル信号を復調するデコーダと、オーディオファイル信号の復調における位相ロックの損失についてデコーダにポーリングするプロセッサとを有する。プロセッサは位相ロックループの損失に応じてデコーダをリセット及び再初期化する。受信機は、９００ＭＨｚの無線周波数受信回路を有する。デコーダは８−１４変調ＥＦＭデコーダを有する。好ましい実施例では、デコーダは既知のＩ２Ｓオーディオストリームのフォーマットに従うデジタルオーディオストリームを出力する。
2005528843.tif 000002
【特許請求の範囲】
【請求項１】
オーディオファイル信号を受信する受信機と、
前記オーディオファイル信号を復調するデコーダと、
前記オーディオファイル信号の前記復調における位相ロックの損失について前記デコーダにポーリングするプロセッサと
を有する装置。
【請求項２】
請求項１に記載の装置であって、
前記プロセッサが、前記位相ロックにおける前記損失に応じて、前記デコーダをリセット及び再初期化する装置。
【請求項３】
請求項１に記載の装置であって、
前記受信機が、９００ＭＨｚの無線周波数受信回路を有する装置。
【請求項４】
請求項１に記載の装置であって、
前記デコーダが、８−４変調ＥＦＭデコーダを有する装置。
【請求項５】
請求項１に記載の装置であって、
前記デコーダがデジタルオーディオストリームを出力する装置。
【請求項６】
請求項５に記載の装置であって、
前記デジタルオーディオストリームが、Ｉ２Ｓオーディオストリームに従う装置。
【請求項７】
プロセッサにより実行されると、
変調されたオーディオファイル信号を受信するステップと、
前記変調されたオーディオファイル信号を復調するステップと、
前記復調における位相ロックの損失について前記復調にポーリングするステップと、
前記位相ロックの前記損失に応じて、前記復調をリセット及び再初期化するステップと
を実行するソフトウェア命令を有するコンピュータ読取可能媒体。
【請求項８】
請求項７に記載のコンピュータ読取可能媒体であって、
前記復調が、デジタル８−１４変調のデジタルエンコードであるコンピュータ読取可能媒体。
【請求項９】
請求項７に記載のコンピュータ読取可能媒体であって、
前記受信が、前記オーディオファイル信号により変調された９００ＭＨｚ帯域の搬送周波数に同調するコンピュータ読取可能媒体。
【請求項１０】
請求項７に記載のコンピュータ読取可能媒体であって、
前記復調がデジタルオーディオストリームを出力するコンピュータ読取可能媒体。
【請求項１１】
請求項７に記載のコンピュータ読取可能媒体であって、
前記ポーリングがプロセッサにより実行されるコンピュータ読取可能媒体。
【請求項１２】
無線オーディオファイル信号伝送における信号損失を検出する方法であって、
オーディオファイル信号を受信するステップと、
前記オーディオファイル信号をデコードするステップと、
前記オーディオファイル信号の前記デコードにおける位相ロックの損失について前記デコードにポーリングするステップと
を有する方法。
【請求項１３】
請求項１２に記載の方法であって、
前記デコードにおける前記位相ロックの前記損失に応じて、前記デコードをリセット及び再初期化するステップを更に有する方法。
【請求項１４】
請求項１２に記載の方法であって、
前記受信するステップが、９００ＭＨｚ帯域の搬送周波数の同調を有する方法。
【請求項１５】
請求項１２に記載の方法であって、
前記デコードするステップが、８−１４ビット変調のＥＦＭでコードを有する方法。
【請求項１６】
請求項１２に記載の方法であって、
前記デコードするステップが、デジタルオーディオストリームを出力する方法。
【請求項１７】
請求項１６に記載の方法であって、
前記デジタルオーディオストリームが、Ｉ２Ｓオーディオストリームに従う方法。
【発明の詳細な説明】
【技術分野】
【０００１】
本発明は、概して無線通信に関するものであり、特に無線信号損失の検出に関するものである。
【背景技術】
【０００２】
多数の消費者は、オーディオシステムでオーディオファイルを再生することにより、ＰＣに格納されたデジタルオーディオファイルの膨大な収集を楽しもうとする。ユーザは、ＣＤ記憶装置からユーザのパーソナルコンピュータにオーディオファイルを既に転送している。インターネットウェブサイトからパーソナルコンピュータを通じてホームオーディオシステムに直接にオーディオファイルを再生することにより、コンピュータの処理能力及び記憶能力を使用して、再生リストを増やし、アーティストやアルバムや歌曲のタイトルやジャンルを表示するためにＩＤ３タグの歌曲データを使用してデジタル音楽ファイルのライブラリを構成することが可能になる。パーソナルコンピュータとオーディオシステムの間の無線伝送は、ユーザにとって高品質の視聴経験を可能にする。
【０００３】
無線送受信機の技術は、パーソナルコンピュータからオーディオシステムにＣＤ品質のデジタルオーディオを送信することが可能でなければならない。ジュークボックスで管理されたパーソナルコンピュータのコンテンツのアクティブなユーザや、デジタル品質の音楽ファイルを視聴する代替手段を探しているインターネットのオーディオ視聴者は、パーソナルコンピュータとオーディオシステムとの間の便利な接続を必要とする。オーディオファイル発信源とオーディオシステムとの間の継続的な送受信は、パーソナルコンピュータ又はネットワークサイトから利用可能なデジタル品質の音楽ファイルを視聴する際の全ユーザの経験に必要になる。
【発明の開示】
【発明が解決しようとする課題】
【０００４】
無線受信機に伝送されたオーディオファイルに適用される無線伝送技術は、オーディオファイル送信源からの長期間の伝送待機後に、そのデコードを中止することができる。受信機によるデコードにおける位相ロックループはアンロックすることができる。受信機による位相ロックループの損失により、送信機からのオーディオファイル伝送のデコードにおける位相ロックループをユーザが手動で再確立することが必要になる。従って、受信機と信号送信機との間で信号損失を検出し、自動的に信号位相ロックをリセットして、無線通信リンクで受信したオーディオファイルのほぼシームレスな再生を維持する必要性が存在する。
【課題を解決するための手段】
【０００５】
本発明の装置は、オーディオファイル信号を受信する受信機と、オーディオファイル信号を復調するデコーダと、オーディオファイル信号の復調における位相ロックの損失についてデコーダにポーリングするプロセッサとを有する。プロセッサは位相ロックループの損失に応じてデコーダをリセット及び再初期化する。受信機は、９００ＭＨｚの無線周波数受信回路を有する。デコーダは８−１４変調ＥＦＭデコーダを有する。好ましい実施例では、デコーダは既知のＩ２Ｓオーディオストリームのフォーマットに従うデジタルオーディオストリームを出力する。
【０００６】
本発明のコンピュータ読取可能媒体は、プロセッサにより実行されると、変調されたオーディオファイル信号を受信するステップと、変調されたオーディオファイル信号を復調するステップと、復調における位相ロックの損失について復調にポーリングするステップと、位相ロックの損失に応じて復調をリセット及び再初期化するステップとを実行するソフトウェア命令を有する。復調は、好ましくはデジタルエンコードにより変調された９００ＭＨｚ帯域の搬送周波数に同調した８−１４ＥＦＭビットのデジタルエンコードの復調である。
【０００７】
無線オーディオファイル信号伝送における信号損失を検出する方法は、オーディオファイル信号を受信するステップと、オーディオファイル信号をデコードするステップと、オーディオファイル信号のデコードにおける位相ロックの損失についてデコーダにポーリングするステップとを有する。デコードにおける位相ロックの損失に応じて、デコーダがリセット及び再初期化される。受信するステップは、好ましくはオーディオファイル信号により変調された９００ＭＨｚ帯域の搬送周波数に同調する。デコードするステップは、８−１４ビット変調のＥＦＭデコードを有する。
【発明を実施するための最良の形態】
【０００８】
本発明の更に完全な理解が、図面と共に以下の詳細な説明の検討から取得され得る。理解を容易にするため、図面に共通の同一の要素を示すために、可能な場合には同一の参照数字が使用される。
【０００９】
図１は、インターネットのような例示的なネットワーク１２と、無線送信機１３を備えたパーソナルコンピュータ１１と、無線受信機１４とを有する例示的な通信環境１０を表したものである。無線送信機１３は、無線媒体上１５でコンピュータ１１のオーディオファイルを無線受信機１４に転送する。次に、無線受信機はアナログステレオ信号をオーディオシステム１６に送信する。オーディオファイルは、コンピュータのシャットオフの間の保存用に格納されたファイル、又はネットワークを通じて無線受信機１４へのオーディオファイルの伝送用のコンジット（ｃｏｎｄｕｉｔ）としてコンピュータが機能する際に一時的に格納されたｍｐ３ファイルのような、多様なファイル形式のうちのいずれか１つでもよい。送信機１３は、コンピュータのアーキテクチャの一体化構成要素でもよく、又はユニバーサルシリアルバス接続（ＵＳＢ）のようなポート接続を通じてコンピュータと通信するアドオン装置でもよい。ラップトップコンピュータとして図示されている例示的なコンピュータ１１は、デスクトップコンピュータシステムでもよく、又はネットワークを通じて無線受信機１４へのオーディオファイルの転送を中継可能なプロセッサに基づく装置でもよい。
【００１０】
図２は、例示的な無線受信機のブロック図である。アンテナ２５で受信した変調又はエンコードされた入力アナログ信号は、９００ＭＨｚ帯の例示的な送信機の搬送周波数に受信機を同調させる周波数シンセサイザを有する受信回路基板２３で受信される。エンコードされた信号は、８−１４変調デコーダ２２によりデコードされる。８−１４ＥＦＭエンコードは、コンパクトディスク（ＣＤ）のエンコードで既知のエンコード技術である。デコーダ２２からのデジタルオーディオストリームＩ２Ｓは、ステレオのデジタル・アナログ変換器（ＤＡＣ）２１によりオーディオシステムへのアナログステレオ入力信号に変換される。デコーダ２２とプロセッサ２４との間の通信プロトコルは、好ましくは既知のＩ２Ｃバスプロトコルに従う。プロセッサは、好ましくは受信回路２３にマイクロワイヤ（ｍｉｃｒｏｗｉｒｅ）バスで結合されたマイクロプロセッサである。プロセッサは、オーディオファイル信号源の送信機の無線搬送周波数に受信機を同調させる周波数シンセサイザを制御する。プロセッサ２４はまた、本発明の無線オーディオファイル信号損失の検出と、無線オーディオファイル信号の損失が検出された時にデコーダ２２のリセットと再初期化を実行する。
【００１１】
図３は、無線位相ロックループ（ＰＬＬ）のアンロック状態を検出するフローチャートと、図２の受信機の使用に適した回復のフローチャートである。プロセッサ２４は継続的にデコーダにポーリングを行い３２、入力オーディオファイル信号の復調における位相ロックループが損失したか否かを決定する３３。デコーダの位相ロックループ（ＰＬＬ）がアンロックされている場合には、プロセッサはデコーダのソフトウェアリセットを行い、アンテナ２５で受信したオーディオファイル信号のデコードにおける位相ロックループ状態を再初期化する。デコーダの位相ロックループ（ＰＬＬ）がロックされたままである場合には、プロセッサ２４は位相ロックループにおけるアンロックされた状態についてデコーダにポーリングし続ける。自動的なＥＦＭ  ＰＬＬのアンロック状態検出及び回復により、ユーザの認識と介入の要件が不要になる。
【００１２】
本発明の教示を組み込んだ多様な実施例が示され、ここで詳細に説明されたが、当業者はこの教示を依然として組み込んだ多様な変更実施例を容易に考えることができる。本発明は、パーソナルコンピュータからのオーディオファイルの伝送を受信するオーディオシステムに関して説明された。無線信号損失の検出回復を対象とする本発明の教示は、無線信号がコンピュータに格納されたオーディオファイル、又はオーディオファイルへのストリーミング転送用にネットワークを通じてコンピュータにダウンロードされたオーディオファイルを伝送する場合に実行されてもよい。オーディオシステムは、ステレオオーディオ信号を受信するアナログステレオ入力ジャック（例えば“ＬＩＮＥ”又は“ＡＵＸ”のジャックを備えたホームステレオ）を備えてもよい。
【図面の簡単な説明】
【００１３】
【図１】インターネットネットワークと、コンピュータと、無線送信機と、無線受信機と、オーディオシステムとを有する例示的な通信環境を表したものである。
【図２】本発明を実装する例示的な無線受信機のブロック図である。
【図３】図２の受信機での使用に適した無線位相ロックループのアンロック状態と回復のフローチャートを表したものである。
【図１】
2005528843.tif 000003
【図２】
2005528843.tif 000004
【図３】
2005528843.tif 000005
【国際調査報告】
2005528843.tif 000006